(57)【特許請求の範囲】
【請求項１】
空気を段階的に圧縮することによって、圧力がそれぞれ異なる複数の燃料電池用圧縮空気と、前記複数の燃料電池用圧縮空気よりも圧力が高い燃焼用圧縮空気と、を生成する空気圧縮機と、
前記空気圧縮機から供給された前記燃料電池用圧縮空気と、前記燃料電池用圧縮空気の圧力に対応して圧縮された圧縮燃料ガスとの化学反応により発電する燃料電池と、
前記化学反応後の前記圧縮燃料ガスである未燃燃料ガスが前記燃料電池から供給されるとともに、前記燃焼用圧縮空気が前記空気圧縮機から供給され、前記未燃燃料ガスが前記燃焼用圧縮空気で燃焼することによって燃焼ガスを生成する燃焼器と、
前記化学反応後の前記燃料電池用圧縮空気である排出圧縮空気が前記燃料電池から供給されるとともに、前記燃焼ガスが前記燃焼器から供給され、前記排出圧縮空気と前記燃焼ガスとで駆動するガスタービンと、
前記複数の燃料電池用圧縮空気のそれぞれに対応して設けられた複数の制御弁であって、対応する燃料電池用圧縮空気が前記空気圧縮機から前記燃料電池へ供給される開状態と、対応する燃料電池用圧縮空気の供給が遮断される閉状態とに、それぞれが個別に切り替え可能な複数の制御弁と、
前記圧縮燃料ガスの圧力を検出する圧力センサと、
前記圧力センサの検出結果に基づいて、前記燃料電池用圧縮空気と前記圧縮燃料ガスとの圧力差が所定の範囲内になるように前記複数の制御弁を制御する制御部と、
を備える燃料電池複合発電システム。
【請求項２】
前記空気圧縮機は、前記複数の燃料電池用圧縮空気の１つである第１の燃料電池用圧縮空気と、前記複数の燃料電池用圧縮空気の他の１つである、前記第１の燃料電池用圧縮空気よりも圧力が高い第２の燃料電池用圧縮空気と、を生成し、
前記複数の制御弁は、前記第１の燃料電池用圧縮空気に対応する第１の制御弁と、前記第２の燃料電池用圧縮空気に対応する第２の制御弁と、を備え、
前記制御部は、前記第１の制御弁が前記開状態であり、かつ前記第２の制御弁が前記閉状態である第１の制御状態と、前記第１の制御弁が前記閉状態であり、かつ前記第２の制御弁が前記開状態である第２の制御状態と、を前記圧力センサの検出結果に基づいて切り替え制御する、請求項１に記載の燃料電池複合発電システム。
【請求項３】
前記制御部は、前記圧力センサの検出値を予め定められたしきい値と比較し、前記検出値が前記しきい値以下の場合に前記第１の制御状態となり、前記検出値が前記しきい値を超えている場合に前記第２の制御状態になる、請求項２に記載の燃料電池複合発電システム。
【請求項４】
前記ガスタービンの駆動により生じた熱を回収し、前記熱を用いて水蒸気を生成する排熱回収ボイラと、
前記排熱回収ボイラから供給された前記水蒸気で駆動する蒸気タービンと、
をさらに備える、請求項１から３のいずれか１項に記載の燃料電池複合発電システム。
【請求項５】
空気を段階的に圧縮することによって、圧力がそれぞれ異なる複数の燃料電池用圧縮空気と、前記複数の燃料電池用圧縮空気よりも圧力が高い燃焼用圧縮空気と、を生成する空気圧縮ステップと、
燃料電池に供給される圧縮燃料ガスの圧力を検出する圧力検出ステップと、
前記圧力検出ステップの結果に基づいて、前記複数の燃料電池用圧縮空気のうち、前記圧縮燃料ガスとの圧力差が所定の範囲内になる燃料電池用圧縮空気を前記燃料電池へ供給する供給ステップと、
前記供給ステップにより供給された前記燃料電池用圧縮空気と、前記圧縮燃料ガスとの化学反応により前記燃料電池が発電する発電ステップと、
前記化学反応後の前記圧縮燃料ガスである未燃燃料ガスが前記燃焼用圧縮空気で燃焼することによって、燃焼ガスを生成する燃焼ステップと、
前記燃焼ステップで生成された前記燃焼ガスと、前記化学反応後の前記燃料電池用圧縮空気である排出圧縮空気とでガスタービンが駆動する駆動ステップと、
を備える燃料電池複合発電システムの運転方法。
【発明の詳細な説明】
【技術分野】
【０００１】
本発明は、燃料電池複合発電システム、およびその運転方法に関する。
【背景技術】
【０００２】
ガスタービン発電システムは、一般的に、空気圧縮機と、燃焼器と、ガスタービンと、を備える。ガスタービン発電システムでは、外気が空気圧縮機にて圧縮され、この圧縮空気が燃焼器に供給される。燃焼器には、この圧縮空気とともに燃料ガスが供給され、この燃料ガスと圧縮空気との燃焼によって燃焼ガスが生成される。そして、この燃焼ガスでガスタービンは発電機を駆動する。
【０００３】
近年、ガスタービン発電システムを燃料電池とを組み合わせることでエネルギーの高効率化を図った燃料電池複合発電システムが提案されている（特許文献１参照）。燃料電池複合発電システムでは、外気が、ガスタービン発電システムの空気圧縮機で圧縮され、この圧縮空気が燃料電池に供給される。また、燃料ガスが燃料圧縮機で圧縮され、この圧縮燃料ガスも燃料電池に供給される。そして、圧縮空気と圧縮燃料ガスとの化学反応により燃料電池は発電する。この化学反応後には、高温高圧の空気と未反応の可燃性成分を有する未燃燃料ガスとが燃料電池から排出され、これらはガスタービン発電システムの燃焼器に供給される。この燃焼器において未燃燃料ガスを燃焼させることでガスタービンを駆動させることが可能となる。
【０００４】
上述した燃料電池複合発電システムによれば、燃料電池が高圧の空気で化学反応することでエネルギー効率の向上が見込まれる。また、燃料電池から排出された未燃燃料ガスがガスタービン発電システムの燃焼器で燃焼することで、ガスタービンの駆動が可能となる。
【先行技術文献】
【特許文献】
【０００５】
【特許文献１】特開２００６−１００２２３号公報
【発明の概要】
【発明が解決しようとする課題】
【０００６】
上述した燃料電池複合発電システムをより高効率な発電システムとするには、例えば、高効率ガスタービンと高圧作動の燃料電池とを組み合わせたコンバインドサイクル発電を採用することが考えられる。
【０００７】
高効率ガスタービンには、より高圧な空気が求められるので、空気圧縮機から吐出される空気の圧力である圧縮機吐出圧力は、高圧化する。この圧縮機吐出圧力は、ガスタービンの進化に伴って今後ますます高圧化する傾向にある。
【０００８】
一方、燃料電池にとって最適な作動圧力は、空気圧縮機からガスタービンに供給される空気の圧力よりも低いと考えられている。また、燃料電池の作動圧力を高圧化しても、燃料電池の発電効率は、ガスタービンのように大きく向上するわけでなく飽和する可能性が高い。しかも、燃料電池の作動圧力をむやみに高圧化すると、圧力容器の耐圧確保のために燃料電池が大型化するので、経済性を損ねることが懸念される。そこで、燃料電池の大型化を回避する方法として、空気圧縮機で生成された圧縮空気を圧力調節弁などを介して減圧し、減圧した圧縮空気を燃料電池に供給する方法が考えられる。しかし、燃料電池に供給する空気の減圧はサイクル損失となるので、発電効率の低下を招くおそれがある。
【０００９】
そこで、本発明の目的は、経済性に優れ、発電効率を高めることが可能な燃料電池複合発電システム、およびその運転方法を提供することにある。
【課題を解決するための手段】
【００１０】
一実施形態によれば、燃料電池複合発電システムは、空気圧縮機と、燃料電池と、燃焼器と、ガスタービンと、を備える。空気圧縮機は、空気を段階的に圧縮することによって、燃料電池用圧縮空気と、燃料電池用圧縮空気よりも圧力が高い燃焼用圧縮空気と、を生成する。燃料電池は、空気圧縮機から供給された燃料電池用圧縮空気と、燃料電池用圧縮空気の圧力に対応して圧縮された圧縮燃料ガスとの化学反応により発電する。燃焼器は、化学反応後の圧縮燃料ガスである未燃燃料ガスが燃料電池から供給されるとともに、燃焼用圧縮空気が空気圧縮機から供給され、未燃燃料ガスが燃焼用圧縮空気で燃焼することによって燃焼ガスを生成する。ガスタービンは、化学反応後の燃料電池用圧縮空気である排出圧縮空気が燃料電池から供給されるとともに、燃焼ガスが燃焼器から供給され、排出圧縮空気と燃焼ガスとで駆動する。
【発明の効果】
【００１１】
経済性に優れ、発電効率を高めることが可能な燃料電池複合発電システムを提供することができる。
【図面の簡単な説明】
【００１２】
【図１】第１の実施形態に係る燃料電池複合発電システムの概略的な構成を示すブロック図である。
【図２】第１の実施形態の変形例に係る燃料電池複合発電システムの概略的な構成を示すブロック図である。
【図３】第２の実施形態に係る燃料電池複合発電システムの概略的な構成を示すブロック図である。
【図４】第２の実施形態の変形例に係る燃料電池複合発電システムの概略的な構成を示すブロック図である。
【発明を実施するための形態】
【００１３】
以下、本発明の実施形態を、図面を参照して説明する。本実施形態は、本発明を限定するものではない。
【００１４】
（第１の実施形態）
図１は、第１の実施形態に係る燃料電池複合発電システムの概略的な構成を示す図である。
【００１５】
図１に示すように、本実施形態に係る燃料電池複合発電システム１は、空気圧縮機１１（Ａ／Ｃ）と、空気側熱交換器１２と、燃料圧縮機１３と、燃料側熱交換器１４と、燃料電池１５と、インバータ１６と、未燃燃料圧縮機１７と、再循環ブロワ１８と、燃焼器１９と、ガスタービン２０（Ｇ／Ｔ）と、発電機２１と、排熱回収ボイラ２２と、を備える。
【００１６】
空気圧縮機１１は、多段の回転翼から構成された軸流圧縮機である。なお、空気圧縮機１１は、空気を段階的に圧縮する構成を備えていれば、他の種類の圧縮機であってもよい。
【００１７】
空気圧縮機１１は、配管３０に接続され、この配管３０を介して供給された空気４０を段階的に圧縮する。これにより、燃料電池用圧縮空気と、この燃料電池用圧縮空気よりも圧力が高い燃焼用圧縮空気とが段階的に生成される。燃料電池用圧縮空気は、空気圧縮機１１に設けられた抽気口から配管３１に抽出される。一方、燃焼用圧縮空気は、空気圧縮機１１から燃焼器１９に供給される。なお、本実施形態では、空気４０は、空気圧縮機１１に供給される前に空気フィルター（不図示）で微粒固形物が除去されている。
【００１８】
空気側熱交換器１２は、配管３１および配管３２に接続されている。空気側熱交換器１２は、配管３１を流れる燃料電池用圧縮空気と配管３２を流れる圧縮空気との間で熱交換を行う。
【００１９】
燃料圧縮機１３は、配管３３に接続され、この配管３３を介して燃料４１が燃料圧縮機１３に供給される。燃料圧縮機１３は、この燃料４１を圧縮することによって圧縮燃料ガスを生成する。この圧縮燃料ガスは、配管３４に送出される。本実施形態では、燃料４１は天然ガスであり、ガス会社等の燃料供給設備から供給される。
【００２０】
燃料側熱交換器１４は、配管３４および配管３５に接続されている。燃料側熱交換器１４は、配管３４を流れる圧縮燃料ガスと配管３５を流れる圧縮燃料ガスとの間で熱交換を行う。
【００２１】
燃料電池１５は、空気側熱交換器１２および燃料側熱交換器１４に接続されている。燃料電池１５は、空気圧縮機１１から空気側熱交換器１２を介して燃料電池用圧縮空気の供給を受けるとともに、燃料圧縮機１３から燃料側熱交換器１４を介して圧縮燃料ガスの供給を受ける。この燃料電池用圧縮空気に含まれている酸素と、この圧縮燃料ガスに含まれている水素や一酸化炭素とが化学反応することによって、燃料電池１５は発電する。この発電に伴って直流電力が燃料電池１５からインバータ１６に供給される。
【００２２】
また、燃料電池１５は、上記化学反応後の燃料電池用圧縮空気である排出圧縮空気を空気側熱交換器１２に供給するとともに、上記化学反応後の圧縮燃料ガスである未燃燃料ガスを燃料側熱交換器１４に供給する。排出圧縮空気は、空気側熱交換器１２で減温されて配管３２に送出される。一方、未燃燃料ガスは燃料側熱交換器１４で減温されて配管３５に送出される。
【００２３】
本実施形態では、燃料電池１５はＳＯＦＣ（Ｓｏｌｉｄ  Ｏｘｉｄｅ  Ｆｕｅｌ  Ｃｅｌｌ）であるが、他の種類の燃料電池であってもよい。
【００２４】
インバータ１６は、燃料電池１５に接続されている。インバータ１６は、燃料電池１５から供給された直流電力を交流電力に変換する。
【００２５】
未燃燃料圧縮機１７は配管３６に接続され、この配管３６は配管３５に接続されている。また、配管３６には制御弁５０が取り付けられている。この制御弁５０が開状態のとき、未燃燃料ガスが、配管３５、３６を介して未燃燃料圧縮機１７に供給される。未燃燃料圧縮機１７は、供給された未燃燃料ガスを圧縮する。圧縮された未燃燃料ガスは、燃焼器１９に供給される。
【００２６】
再循環ブロワ１８は、配管３７に接続されている。この配管３７の一端は配管３６とともに配管３５から分岐し、他端は配管３４に接続されている。また、配管３７には制御弁５１が取り付けられている。この制御弁５１が開状態のとき、未燃燃料ガスが配管３５、３７を介して再循環ブロワ１８に供給される。再循環ブロワ１８は、この未燃燃料ガスを昇圧して配管３８に送出する。このとき、再循環ブロワ１８は、この未燃燃料ガスの圧力が配管３４を流れる圧縮燃料ガスの圧力と等しくなるように昇圧動作を行う。配管３８に送出された未燃燃料ガスは、配管３４で圧縮燃料ガスと合流し、再び燃料側熱交換器１４を介して燃料電池１５に供給される。
【００２７】
燃焼器１９は、空気圧縮機１１から燃焼用圧縮空気の供給を受ける。また、燃焼器１９は、燃料電池１５から燃料側熱交換器１４と未燃燃料圧縮機１７とを介して未燃燃料ガスの供給を受ける。燃焼器１９において、この未燃燃料ガスがこの燃焼用圧縮空気で燃焼することによって燃焼ガスが生成される。
【００２８】
ガスタービン２０は、燃焼器１９から燃焼ガスの供給を受けるとともに、燃料電池１５から空気側熱交換器１２を介して排出圧縮空気の供給を受ける。この燃焼ガスおよびこの排出圧縮空気の供給によって、ガスタービン２０は回転駆動する。
【００２９】
発電機２１は、ガスタービン２０に直結されている。発電機２１は、ガスタービン２０の回転駆動により生じた回転エネルギーを電気エネルギーに変換する。
【００３０】
排熱回収ボイラ２２は、配管３９を介してガスタービン２０に接続され、ガスタービン２０の回転駆動により生じた熱を回収する。
【００３１】
次に、上述した燃料電池複合発電システム１の動作の一例について、再び図１を参照しながら説明する。
【００３２】
まず、空気圧縮機１１が空気４０を段階的に圧縮することによって、燃料電池用圧縮空気と燃焼用圧縮空気とを生成する。これが本実施形態における空気圧縮ステップである。燃料電池用圧縮空気は、空気側熱交換器１２によって加温されて燃料電池１５に供給される。一方、燃焼用圧縮空気は燃焼器１９に供給される。本実施形態では、例えば、燃料電池用圧縮空気の圧力は約０．５Ｍｐａであり、燃焼用圧縮空気の圧力は約２ＭＰａである。また、空気側熱交換器１２は燃料電池用圧縮空気を約９００℃に加温する。
【００３３】
空気圧縮機１１の動作に並行して燃料圧縮機１３が燃料４１を圧縮する。これにより、圧縮燃料ガスが生成される。この圧縮燃料ガスは、燃料側熱交換器１４によって加温されて燃料電池１５に供給される。本実施形態では、燃料圧縮機１３は、圧縮燃料ガスの圧力が燃料電池用圧縮空気の圧力（０．５ＭＰａ）とほぼ等しくなるように燃料４１を圧縮する。また、燃料側熱交換器１４は、圧縮燃料ガスを燃料電池用圧縮空気の温度とほぼ等しい約９００℃に加温する。なお、燃料圧縮機１３は、生成した圧縮燃料ガスを燃焼器１９に供給してもよい。
【００３４】
次に、燃料電池１５が、燃料電池用圧縮空気と圧縮燃料ガスとの化学反応により発電する。これが本実施形態における発電ステップである。この化学反応後、未燃燃料ガスおよび排気圧縮空気が燃料電池１５から排出される。燃料電池１５から排出された未燃燃料ガスは、燃料側熱交換器１４によって減温され、未燃燃料圧縮機１７で圧縮され、燃焼器１９に供給される。一方、燃料電池１５から排出された排気圧縮空気は、空気側熱交換器１２で減温されてガスタービン２０に供給される。
【００３５】
次に、燃焼器１９が、未燃燃料ガスを燃焼用圧縮空気で燃焼させることによって燃焼ガスを生成する。これが本実施形態における燃焼ステップである。この燃焼ガスはガスタービン２０に供給される。
【００３６】
次に、ガスタービン２０は、燃焼ガスと排気圧縮空気の供給により回転駆動する。これが本実施形態における駆動ステップである。
【００３７】
以上説明したように、本実施形態の燃料電池複合発電システム１によれば、空気圧縮機１１は、燃焼用圧縮空気の生成の途中で燃料電池用圧縮空気を生成し、この燃料電池用圧縮空気を燃料電池１５に供給している。そのため、空気圧縮機１１が高圧な燃焼用圧縮空気を吐出する圧縮機であったとしても、燃料電池１５にとって最適な圧縮空気を空気圧縮気１１から減圧することなく燃料電池１５に供給することが可能となる。これにより、経済性に優れ、発電効率の高い燃料電池複合発電システムを得ることが可能となる。
【００３８】
（変形例）
以下、第１の実施形態の変形例に係る燃料電池複合発電システムについて説明する。図２は、第１の実施形態の変形例に係る燃料電池複合発電システムの概略的な構成を示す図である。上述した第１の実施形態に係る燃料電池複合発電システム１と同様の構成要素には同じ符号を付し、詳細な説明を省略する。
【００３９】
図２に示すように、本変形例に係る燃料電池複合発電システム１ａは、第１の実施形態に係る燃料電池複合発電システム１に蒸気タービンシステム６０を組み合わせた構成を備える。
【００４０】
蒸気タービンシステム６０は、蒸気タービン６１と、発電機６２と、復水器６３と、冷却塔６４と、冷却ポンプ６５と、給水ポンプ６６と、を備える。
【００４１】
排熱回収ボイラ２２において、回収された熱で水を温めることによって水蒸気が発生する。蒸気タービン６１は、この水蒸気で回転駆動する。発電機６２は、蒸気タービン６１に直結されており、蒸気タービン６１の回転駆動により生じた回転エネルギーを電気エネルギーに変換する。
【００４２】
復水器６３は、蒸気タービン６１から排出された高温蒸気を水に戻す。冷水塔６４は、この高温蒸気を冷却するための冷却水を貯留している。冷却ポンプ６５は、この冷却水を冷水塔６４から復水器６３へ送り込む。給水ポンプ６６は、復水器６３の水を排熱回収ボイラ２２へ送り込む。
【００４３】
上述した本変形例に係る燃料電池複合発電システム１ａによれば、蒸気タービンシステム６０が、排熱回収ボイラ２２に回収された熱で発電している。そのため、発電効率をさらに向上させることが可能となる。
【００４４】
（第２の実施形態）
本発明の第２の実施形態に係る燃料電池複合発電システムについて説明する。図３は、本発明の実施形態２に係る燃料電池複合発電システムの概略的な構成を示す図である。上述した第１の実施形態に係る燃料電池複合発電システム１と同様の構成要素には同じ符号を付し、詳細な説明を省略する。
【００４５】
図３に示すように、本実施形態に係る燃料電池複合発電システム２は、第１の実施形態に係る燃料電池複合発電システム１の構成に加えて、制御弁７１、７２と、圧力センサ７３と、制御部７４と、をさらに備える。
【００４６】
制御弁７１は、配管３１に取り付けられている。制御弁７１が開状態のとき、第１の燃料電池用圧縮空気が空気圧縮機１１から燃料電池１５に供給される。反対に、制御弁７１が閉状態のとき、第１の燃料電池用圧縮空気の供給が遮断される。この制御弁７１が、本実施形態における第１の制御弁を構成する。
【００４７】
制御弁７２は、配管３１ａに取り付けられている。配管３１ａの一端は制御弁７１よりも下流側で配管３１に接続され、他端は空気圧縮機１１の抽気口に接続されている。制御弁７２が開状態のとき、第１の燃料電池用圧縮空気よりも圧力が高い第２の燃料電池用圧縮空気が空気圧縮機１１から燃料電池１５に供給される。この制御弁７２が、本実施形態における第２の制御弁を構成する。
【００４８】
圧力センサ７３は、燃料側熱交換器１４と燃料電池１５との間で圧縮燃料ガスの圧力を検出し、検出結果を制御部７４に出力する。
【００４９】
制御部７４は、圧力センサ７３の検出結果に基づいて、第１の制御状態と第２の制御状態の切り替え制御する。第１の制御状態とは、制御部７４が制御弁７１を開状態に保持し、かつ制御弁７２を閉状態に保持する状態である。一方、第２の制御状態とは、制御部７４が制御弁７１を閉状態に保持し、かつ制御弁７２を開状態に保持する状態である。
【００５０】
以下、本実施形態に係る燃料電池複合発電システム２の動作のうち、燃料電池用圧縮空気の供給制御に関する動作の一例について説明する。燃料電池用圧縮空気の供給制御に関する動作以外の動作内容は、第１の実施形態と同様なので説明を省略する。
【００５１】
まず、圧力センサ７３が、圧縮燃料ガスの圧力を検出し、検出結果を制御部７４へ出力する。
【００５２】
次に、制御部７４は、圧力センサ７３の検出値を予め定められたしきい値と比較する。その結果、検出値がしきい値以下の場合、制御部７４は上述した第１の制御状態になる。これにより、圧縮燃料ガスとの圧力差が第２の燃料電池用圧縮空気に比べて小さな第１の燃料電池用圧縮空気が空気圧縮機１１から燃料電池１５に供給される。
【００５３】
反対に、検出値がしきい値を超えている場合、制御部７４は上述した第２の制御状態になる。これにより、圧縮燃料ガスとの圧力差が第１の燃料電池用圧縮空気に比べて小さな第２の燃料電池用圧縮空気が空気圧縮機１１から燃料電池１５に供給される。
【００５４】
以上説明した本実施形態に係る燃料電池複合発電システム２によれば、空気圧縮機１１から第１の燃料電池用圧縮空気および第２の燃料電池用圧縮空気を個別に燃料電池１５に供給できるように構成されている。そして、制御部７４が圧縮燃料ガスの圧力に応じて制御弁７１、７２を制御することによって、圧縮燃料ガスとの圧力差がより小さい燃料電池用圧縮空気が燃料電池１５に供給される。その結果、圧縮燃料ガスと燃料電池用圧縮空気との圧力差に起因する燃料電池４の損傷が起こりにくくなり、システム運転の信頼性を向上させることが可能となる。
【００５５】
例えば、電力の需要が減少する場合、ガスタービン２０は発電量を低下させ、低負荷の運転となる。この場合、空気圧縮機１１で圧縮される空気の圧力は全体的に低下してしまい、これにより燃料電池４の最適な圧力状態が確保できない事態が想定される。そこで、制御部７４が、比較的圧力の高い第２の燃料電池用圧縮空気が燃料電池１５に供給されるように各制御弁７１、７２を制御することによって、このような事態を回避することが可能となる。
【００５６】
また、燃料電池１５が何かのトラブルで停止するのに伴って圧縮燃料ガスの圧力が低下した場合には、制御部７４が、比較的圧力の低い第１の燃料電池用圧縮空気が燃料電池１５に供給されるように各制御弁７１、７２を制御することによって、燃料電池用圧縮空気と圧縮燃料ガスとの圧力差を抑制することが可能となる。
【００５７】
なお、本実施形態では、空気圧縮機１１から圧力が互いに異なる２つの燃料電池用圧縮空気を個別に燃料電池１５に供給可能な構成であったが、３つ以上の燃料電池用圧縮空気を供給可能な構成であってもよい。すなわち、空気圧縮機１１が圧力のそれぞれ異なる複数の燃料電池用圧縮空気を生成し、複数の制御弁が複数の燃料電池用圧縮空気のそれぞれに対応して設けられ、制御部７４が圧力センサ７３の検出結果に基づいて、燃料電池用圧縮空気と圧縮燃料ガスとの圧力差が所定の範囲内になるように複数の制御弁を制御する構成であってもよい。
【００５８】
（変形例）
本実施形態においても、第１の実施形態と同様に、燃料電池複合発電システム２に蒸気タービンシステム６０を組み合わせた構成を採用してもよい。図４は、第２の実施形態に係る燃料電池複合システムの概略的な構成を示す図である。
【００５９】
図４に示す燃料電池複合発電システム２ａは、第１の実施形態の変形例に係る燃料電池複合発電システム１ａと同様に蒸気タービンシステム６０を備える。この蒸気タービンシステム６０は、排熱回収ボイラ２２に回収された熱で発電している。これにより、発電効率をさらに向上させることが可能となる。
【００６０】
以上、いくつかの実施形態を説明したが、これらの実施形態は、例としてのみ提示したものであり、発明の範囲を限定することを意図したものではない。本明細書で説明した新規なシステムは、その他の様々な形態で実施することができる。また、本明細書で説明したシステムの形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【符号の説明】
【００６１】
１、１ａ、２、２ａ  燃料電池複合発電システム
１１  空気圧縮機
１５  燃料電池
１９  燃焼器
２０  ガスタービン
２２  排熱回収ボイラ
６１  蒸気タービン
７１、７２  制御弁
７３  圧力センサ
７４  制御部
【図１】
0006495695.tif 000002
【図２】
0006495695.tif 000003
【図３】
0006495695.tif 000004
【図４】
0006495695.tif 000005